(57)【要約】      （修正有）【課題】マスクを着用した状態で屋外作業や運動をすると、マスク内が蒸れ、熱中症や酸欠に陥る可能性を軽減するマスク用空気供給装置を提供する。【解決手段】マスク用空気供給装置１は、携帯可能で、かつ、空気を吸入して吐出するエアポンプ部１０と、マスク内に空気を供給するためのエアホース部２０と、空気中に浮遊する塵埃を除去するフィルター部３０と、前記エアホース部とマスクと接続するための接続具４０とを備え、前記エアホース部は前記エアポンプ部の吐出口に接続され、前記フィルター部は前記エアポンプ部の側面に位置し、前記接続具は前記マスクに接続されることを特徴とする空気供給装置である。【選択図】図１
0003234473.tif 000002
【実用新案登録請求の範囲】
【請求項１】
携帯可能で、かつ、空気を吸入して吐出するエアポンプ部と、
空気を供給するためのエアホース部と、
空気中に浮遊する塵埃を除去するフィルター部と、
前記エアホース部とマスクと接続する接続具と、
を備え、
前記エアホース部は前記エアポンプ部の吐出口に接続され、前記フィルター部は前記エアポンプ部の側面に位置し、前記接続具は前記マスクに接続される、
ことを特徴とする空気供給装置。
【請求項２】
前記接続具にマスク用インナーフレームを接続することを特徴とする請求項１に記載の空気供給装置。
【請求項３】
前記エアポンプ部に衣服に引っ掛けるためのフックが付いていることを特徴とする請求項１または請求項２に記載の空気供給装置。
【請求項４】
前記エアポンプ部がＵＳＢ充電可能なことを特徴とする請求項１乃至請求項３に記載の空気供給装置。
【請求項５】
前記エアポンプ部から吐出する空気圧の強さが調整可能なことを特徴とする請求項１乃至請求項４に記載の空気供給装置。
【考案の詳細な説明】
【技術分野】
【０００１】
本考案は、マスク用空気供給装置に関する。
【背景技術】
【０００２】
コロナ禍においては、マスクをつけて日常生活をおくる生活様式が定着している。マスクを着用すると、マスクを着用していない場合に比べて、心拍数や呼吸数、血中二酸化炭素濃度、体温上昇等により身体に負担がかかることがある。また、マスクを着用した状態で屋外作業や運動をすると、マスク内が蒸れ、熱中症や酸欠に陥る可能性が高まる。
【０００３】
マスクの外部から新鮮な空気をマスク内に取り入れることで、マスク内の温度上昇を妨げることが考えられる。そのための方法として、マスクにファンを取り付けたもの等が知られている。
【先行技術文献】
【特許文献】
【０００４】
【特許文献１】実用新案登録第３２２８７３３号
【考案の概要】
【考案が解決しようとする課題】
【０００５】
特許文献１は、人が顔に着用するマスクの内部に装着されるマスク用ファンの考案である。周辺の空気を直接マスク内に取り入れているため、花粉や塵埃も一緒にマスク内に入る。また、ファンか口元付近に位置することから、耳障りである。
【０００６】
本考案は、このような従来品の問題点に鑑み、考案されたものである。本考案は、マスク内に新鮮な空気を送り込むことを目的とした空気供給装置である。
【課題を解決するための手段】
【０００７】
本考案の一形態であるマスク用空気供給装置１は、携帯可能で、かつ、空気を吸入して吐出するエアポンプ部１０と、マスク内に空気を供給するためのエアホース部２０と、空気中に浮遊する塵埃を除去するフィルター部３０と、前記エアホース部とマスクと接続するための接続具４０とを備え、前記エアホース部２０は前記エアポンプ部１０の吐出口に接続され、前記フィルター部３０は前記エアポンプ部１０の側面に位置し、前記接続具４０は前記マスク１００に接続されることを特徴とする空気供給装置である。
【考案の効果】
【０００８】
本考案によると、マスク内に花粉や塵埃を除去した空気を供給することができ、マスク内の蒸れを防止し、熱中症や酸欠に陥る可能性を軽減する空気供給装置を提供することが可能である。
【図面の簡単な説明】
【０００９】
【図１】マスク用空気供給装置の外観を示す正面図である。
【図２】接続具４０にマスク用インナーフレームを接続した場合のマスク用空気供給装置の外観を示す正面図である。
【図３】接続具４０にクリップを接続した場合のマスク用空気供給装置の外観を示す正面図である。
【図４】マスク用空気供給装置１をマスクに取り付けた場合の外観を示す正面図である。
【考案を実施するための形態】
【００１０】
本考案の実施形態について、図１乃至図４を参照して説明する。
[１．構成]
図１乃至図４は、本実施形態におけるマスク用の空気供給装置１である。
【００１１】
エアポンプ部１０は、空気を吸入して吐出する装置である。エアポンプ部１０は、小型軽量タイプで、携帯することが可能なものである。
【００１２】
エアポンプ部１０の電源スイッチ１１は、エアポンプ部１０の正面中央部に位置し、マスク内に空気を供給する、または供給しないを制御するための電源スイッチである。また、エアポンプ部１０から吐出する空気圧の強さ調節する機能を備えていてもよい。
【００１３】
フック１２は、エアポンプ部１０を衣服等に引っ掛けるためのフックである。必要に応じて、フック１２をベルトやズボンのポケット等に引っ掛けることが可能である。フック１２の素材は、ステンレス等である。
【００１４】
エアホース部２０は、接続部２１を介してエアポンプ部１０に接続される。エアホース部２０は、接続具４０を介してマスクに接続される。エアホース部２０は、エアポンプ部１０から供給される空気をマスク１００内に送るものである。空気は、エアホース部２０の供給口２２からマスク１００内に供給される。エアホース部２０の素材は、ポリウレタン、塩化ビニール等である。
【００１５】
接続具４０は、エアホース部２０とマスク１００とを接続するためのものを取り付けるものである。具体的には、ホースバンド等である。ホースバンドにマスク用インナーフレーム５０やクリップ６０等を取り付け、マスク１００と接続する。接続具４０の素材は、ステンレス、スチールメッキ等である。
【００１６】
フィルター部３０は、フィルター３１を収納するフィルターケースとフィルター３１から構成される。フィルター部３０は、接続部３２を介してエアポンプ部１０に接続される。フィルターケースの形状は、略円柱でもよいし、略直方体でもよい。
【００１７】
フィルターケースは、フィルターケースの蓋部３３を備えている。フィルターケースの蓋部３３は、回転式でもよいし、はめ込み式でもよいし、開閉式でもよい。フィルターケースの蓋部３３は、フィルター３１を交換するためのものである。また、フィルターケースの蓋部３３には、複数の貫通孔３４が形成されている。貫通孔３４の形状は、円形状でもよいし、楕円形でもよい。貫通孔３４は、エアポンプ部１０に空気を吸入するためのものである。フィルター部３０の素材は、合成樹脂、プラスチック等である。
【００１８】
フィルター３１は、空気中に浮遊している花粉や塵埃を除去するためのものである。フィルター３１は、不織布でもよいし、抗菌・抗ウイルス布でもよい。また、不織布や抗菌・抗ウイルス布に加えて、活性化フィルターを併用してもよい。
【００１９】
図２において、マスク用インナーフレーム５０は、マスク内に空間を設けるためのもので、一般的なフレームである。マスク用インナーフレームの素材は、ポリエチレン、シリコン等である。
【００２０】
図２乃至図４において、接続具４０は、マスク用インナーフレーム５０やクリップ６０等を固定するものである。
【００２１】
図３において、接続具４０には、マスク用インナーフレーム５０に変えて、クリップ６０を取り付け、固定することも可能である。クリップ６０の素材は、ステンレス、スチールメッキ等である。
【００２２】
図４は、マスク用空気供給装置１の接続具４０とマスク用インナーフレーム５０を接続し、マスク用空気供給装置１をマスク１００に取り付けた場合の外観を示す正面図である。
【００２３】
ＵＳＢ充電の種類は、ＴｙｐｅＡでもよいし、ＴｙｐｅＢでもよいし、 ＴｙｐｅＣでもよい。また、ＵＢＳ充電を電池式充電やワイヤレス充電に置き換えてもよい。
【００２４】
図４において、マスク１００は、市販されているマスクである。
【００２５】
[２．効果]
マスク内に花粉や塵埃を除去した空気を供給することができ、マスク内が蒸れを防止し、熱中症や酸欠に陥る可能性を軽減する空気供給装置を提供することができる。
【符号の説明】
【００２６】
１            マスク用空気供給装置
１０          エアポンプ部
１１          電源スイッチ
１２          フック
２０          エアホース部
２１          接続部
２２          供給部
３０          フィルター部
３１          フィルター
３２          接続部
３３          フィルターケースの蓋部
３４          貫通孔
４０          接続具
５０          マスク用インナーフレーム
６０          クリップ
１００        マスク
【図１】
0003234473.tif 000003
【図２】
0003234473.tif 000004
【図３】
0003234473.tif 000005
【図４】
0003234473.tif 000006